(57)【要約】【課題】スクリーン等における画サイズや焦点をあわせるための調整を簡便にできるようにする。【解決手段】初期調整としてのレンズ１５の調整終了後において、CPU１１は、ズーム/フォーカスそれぞれの位置センサ１８−Ｚ，１８−Ｆの各現在値を読み出して、初期調整値として記録メモリ１９に記録する。また、初期調整としてのランプ１４の調整終了後において、CPU１１は、複数のランプ出力値のうちの、その時点で選択されているランプ出力値を、初期調整値に含めて記録する。その後、リモートコントローラ３等からLOADコマンドが発行された場合、CPU１１は、記録メモリ１９に記録された初期調整値を利用して、レンズ１５やランプ１４の調整を行う。本発明は、プロジェクタに適用可能である。【選択図】図２
2007324800.tif 000002
【特許請求の範囲】
【請求項１】
画像に対応する光束を被画像形成対象に照射することで、前記画像を前記被画像形成対象に形成させる画像形成装置において、
前記光束を前記被画像形成対象に照射するレンズであって、その位置を変化させることでズーム倍率を変化させるズームレンズ、および、その位置を変化させることでフォーカス倍率を変化させるフォーカスレンズを有するレンズと、
前記ズームレンズと前記フォーカスレンズのそれぞれを駆動する駆動系と、
前記ズームレンズと前記フォーカスレンズの各位置を検出する位置センサと、
所定のコマンドを受けて前記駆動系を制御することで、前記位置センサにより検出された前記各位置を各目標値に一致させる制御回路と、
情報を記録可能なメモリと
を備え、
前記制御回路は、
前記フォーカスレンズと前記ズームレンズとの少なくとも一方の位置を移動させる第１のコマンドを受けた場合、その第１のコマンドに基づいて前記目標値を設定して、その設定された目標値を利用して前記駆動系を制御し、その制御の終了タイミングで前記位置センサにより検出された前記各位置を、第１の調整値として前記メモリに記録させる制御を行い、
前記メモリの内容を読み出させる第２のコマンドを受けた場合、前記メモリから前記第１の調整値を読出し、その第１の調整値を前記目標値として利用して前記駆動系を制御する
画像形成装置。
【請求項２】
前記画像形成装置は、
前記光束の発生源としてのランプと、
前記ランプに対して電力を供給するランプ電源と
をさらに備え
前記制御回路は、
さらに、前記ランプからの光束を変化させる第３のコマンドを受けた場合、前記ランプ電源の供給電力を制御することで、前記ランプからの光束を変化させ、その制御の終了タイミングにおける供給電力を示す値を、第２の調整値として前記第１の調整値と対応付けて前記メモリに記録させる制御を行い、
前記第２のコマンドを受けた場合、前記メモリから前記第１の調整値に加えて前記第２の調整値をさらに読出し、前記ランプ電源の供給電力が前記第２の調整値に対応する電力となる制御をさらに行う
請求項２に記載の画像形成装置。
【請求項３】
前記第１乃至第３のコマンドは別の装置から発行され、
前記画像形成装置は、前記別の装置から発行された前記第１乃至第３のコマンドを受信して、前記制御回路に提供する通信回路を
をさらに備える請求項２に記載の画像形成装置。
【請求項４】
前記通信回路と前記別の装置は、所定のネットワークを介して接続されている
請求項３に記載の画像形成装置。
【請求項５】
前記画像形成装置は、前記被画像形成対象としてスクリーンを採用したプロジェクタである
請求項１に記載の画像形成装置。
【請求項６】
画像に対応する光束を被画像形成対象に照射することで、前記画像を前記被画像形成対象に形成させる画像形成装置であって、
前記光束を前記被画像形成対象に照射するレンズであって、その位置を変化させることでズーム倍率を変化させるズームレンズ、および、その位置を変化させることでフォーカス倍率を変化させるフォーカスレンズを有するレンズと、
前記ズームレンズと前記フォーカスレンズのそれぞれを駆動する駆動系と、
前記ズームレンズと前記フォーカスレンズの各位置を検出する位置センサと、
所定のコマンドを受けて前記駆動系を制御することで、前記位置センサにより検出された前記各位置を各目標値に一致させる制御回路と、
情報を記録可能なメモリと
を備える前記画像形成装置の画像形成方法において、
前記制御回路が、
前記フォーカスレンズと前記ズームレンズとの少なくとも一方の位置を移動させる第１のコマンドを受けた場合、その第１のコマンドに基づいて前記目標値を設定して、その設定された目標値を利用して前記駆動系を制御し、その制御の終了タイミングで前記位置センサにより検出された前記各位置を、調整値として前記メモリに記録させる制御を行い、
前記メモリの内容を読み出させる第２のコマンドを受けた場合、前記メモリから前記調整値を読出し、その調整値を前記目標値として利用して前記駆動系を制御する
ステップを含む画像形成方法。
【発明の詳細な説明】
【技術分野】
【０００１】
本発明は、画像形成装置および方法に関し、特に、被画像形成対象における画サイズや焦点をあわせるための調整が簡便にできるようになった画像形成装置および方法に関する。
【背景技術】
【０００２】
従来、映画館等において映画等の映像コンテンツは、フィルム映写機等によってスクリーン上に投影されることが一般的であった。
【０００３】
近年では、映像コンテンツのデジタル化技術に伴い、プロジェクタ（例えば特許文献１）を映画館等で利用する技術、即ち、いわゆるデジタルシネマの技術が、研究、開発され続けている。なお、以下、デジタルシネマ技術で利用可能なプロジェクタを、特に、シネマプロジェクタと称する。
【特許文献１】特開平05-260423号公報
【発明の開示】
【発明が解決しようとする課題】
【０００４】
しかしながら、スクリーン上に投影され得る映像コンテンツは多種多様である。例えば、映画について言えば、図１に示されるような「Cine-scope」,「Vista」といったアスペクトが異なる種類に大別される。
【０００５】
従って、各種類の映像コンテンツのそれぞれについて、スクリーン上での画サイズや焦点をあわせるための調整がそれぞれ個別に必要となる。かかる調整は、従来のフィルム映写機や従来のシネマプロジェクタを利用すると、投影対象のコンテンツを切り替える場合に、その種類が変化するときにはその都度行わなければならず、さらに、その調整のための人手作業には非常な手間がかかっていた、という問題があった。
【０００６】
具体的には例えば、従来のフィルム映写機等には、映像コンテンツの各種類のそれぞれに対応した固定焦点の各レンズのそれぞれが準備されており、それらの各レンズを切り替えるターレット等も搭載されていた。このため、投影対象のコンテンツを切り替える場合に、その種類が変化する度にその都度、ターレット等を用いて、変化後の種類に対応した固定焦点のレンズに切り替える、といった手間のかかる作業が必要となる。
【０００７】
また、従来のシネマプロジェクタの中には、レンズのズーム倍率とフォーカス倍率とを可変できる機能を有しているものもある。しかしながら、そのようなシネマプロジェクタであったとしても、投影対象のコンテンツを切り替える場合に、その種類が変化する度にその都度、スクリーン上に実際に投影されたコンテンツの表示を確認しながら、レンズのズーム倍率とフォーカス倍率とを徐々に変化させていく、といった手間のかかる作業が必要となる。
【０００８】
以上説明した問題は、上述した装置のみならず、画像を被画像形成対象に形成させる画像形成装置全般で従来発生する問題である。即ち、画像の種類毎に、被画像形成対象において画サイズや焦点をあわせるための調整がその都度必要となり、各調整作業には手間のかかる作業がその都度伴う、という問題を従来の画像形成装置は有している。
【０００９】
本発明は、このような状況に鑑みてなされたものであり、被画像形成対象において画サイズや焦点をあわせるための調整を簡便にできるようにするものである。
【課題を解決するための手段】
【００１０】
本発明の一側面の画像形成装置は、画像に対応する光束を被画像形成対象に照射することで、前記画像を前記被画像形成対象に形成させる画像形成装置であって、前記光束を前記被画像形成対象に照射するレンズであって、その位置を変化させることでズーム倍率を変化させるズームレンズ、および、その位置を変化させることでフォーカス倍率を変化させるフォーカスレンズを有するレンズと、前記ズームレンズと前記フォーカスレンズのそれぞれを駆動する駆動系と、前記ズームレンズと前記フォーカスレンズの各位置を検出する位置センサと、所定のコマンドを受けて前記駆動系を制御することで、前記位置センサにより検出された前記各位置を各目標値に一致させる制御回路と、情報を記録可能なメモリとを備え、前記制御回路は、前記フォーカスレンズと前記ズームレンズとの少なくとも一方の位置を移動させる第１のコマンドを受けた場合、その第１のコマンドに基づいて前記目標値を設定して、その設定された目標値を利用して前記駆動系を制御し、その制御の終了タイミングで前記位置センサにより検出された前記各位置を、第１の調整値として前記メモリに記録させる制御を行い、前記メモリの内容を読み出させる第２のコマンドを受けた場合、前記メモリから前記第１の調整値を読出し、その第１の調整値を前記目標値として利用して前記駆動系を制御する。
【００１１】
前記画像形成装置は、前記光束の発生源としてのランプと、前記ランプに対して電力を供給するランプ電源とをさらに備え前記制御回路は、さらに、前記ランプからの光束を変化させる第３のコマンドを受けた場合、前記ランプ電源の供給電力を制御することで、前記ランプからの光束を変化させ、その制御の終了タイミングにおける供給電力を示す値を、第２の調整値として前記第１の調整値と対応付けて前記メモリに記録させる制御を行い、前記第２のコマンドを受けた場合、前記メモリから前記第１の調整値に加えて前記第２の調整値をさらに読出し、前記ランプ電源の供給電力が前記第２の調整値に対応する電力となる制御をさらに行う。
【００１２】
前記第１乃至第３のコマンドは別の装置から発行され、前記画像形成装置は、前記別の装置から発行された前記第１乃至第３のコマンドを受信して、前記制御回路に提供する通信回路をさらに備える。
【００１３】
前記通信回路と前記別の装置は、所定のネットワークを介して接続されている。
【００１４】
前記画像形成装置は、前記被画像形成対象としてスクリーンを採用したプロジェクタである。
【００１５】
本発明の一側面の画像形成方法は、画像に対応する光束を被画像形成対象に照射することで、前記画像を前記被画像形成対象に形成させる画像形成装置の画像形成方法である。この画像形成装置は、前記光束を前記被画像形成対象に照射するレンズであって、その位置を変化させることでズーム倍率を変化させるズームレンズ、および、その位置を変化させることでフォーカス倍率を変化させるフォーカスレンズを有するレンズと、前記ズームレンズと前記フォーカスレンズのそれぞれを駆動する駆動系と、前記ズームレンズと前記フォーカスレンズの各位置を検出する位置センサと、所定のコマンドを受けて前記駆動系を制御することで、前記位置センサにより検出された前記各位置を各目標値に一致させる制御回路と、情報を記録可能なメモリとを備えている。この場合、前記制御回路は、前記フォーカスレンズと前記ズームレンズとの少なくとも一方の位置を移動させる第１のコマンドを受けた場合、その第１のコマンドに基づいて前記目標値を設定して、その設定された目標値を利用して前記駆動系を制御し、その制御の終了タイミングで前記位置センサにより検出された前記各位置を、調整値として前記メモリに記録させる制御を行い、前記メモリの内容を読み出させる第２のコマンドを受けた場合、前記メモリから前記調整値を読出し、その調整値を前記目標値として利用して前記駆動系を制御するステップを含む。
【００１６】
本発明の一側面の画像形成装置および方法においては、画像に対応する光束を被画像形成対象に照射されて、前記画像が前記被画像形成対象に形成される。このような画像を形成させる画像形成装置は、前記光束を前記被画像形成対象に照射するレンズであって、その位置を変化させることでズーム倍率を変化させるズームレンズ、および、その位置を変化させることでフォーカス倍率を変化させるフォーカスレンズを有するレンズと、前記ズームレンズと前記フォーカスレンズのそれぞれを駆動する駆動系と、前記ズームレンズと前記フォーカスレンズの各位置を検出する位置センサと、所定のコマンドを受けて前記駆動系を制御することで、前記位置センサにより検出された前記各位置を各目標値に一致させる制御回路と、情報を記録可能なメモリとを備えている。この場合、前記制御回路によって、次のような処理が実行される。即ち、前記フォーカスレンズと前記ズームレンズとの少なくとも一方の位置を移動させる第１のコマンドが発行された場合、その第１のコマンドに基づいて前記目標値が設定されて、その設定された目標値を利用して前記駆動系が制御され、その制御の終了タイミングで前記位置センサにより検出された前記各位置が、調整値として前記メモリに記録される。そして、前記メモリの内容を読み出させる第２のコマンドが発行された場合、前記メモリから前記第１の調整値が読み出され、その第１の調整値を前記目標値として利用して前記駆動系が制御される。
【発明の効果】
【００１７】
以上のごとく、本発明によれば、被画像形成対象における画サイズや焦点をあわせるための調整ができる。特に、かかる調整が、より一段と簡便にできるようになる。
【発明を実施するための最良の形態】
【００１８】
以下に本発明の実施の形態を説明するが、請求項に記載の構成要件と、明細書または図面における具体例との対応関係を例示すると、次のようになる。この記載は、請求項に記載されている発明をサポートする具体例が、明細書または図面に記載されていることを確認するためのものである。従って、明細書または図面中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、明細書または図面に記載されている具体例に対応する発明が、請求項に全て記載されていることを意味するものではない。換言すれば、この記載は、明細書または図面に記載されている具体例に対応する発明であって、この出願の請求項には記載されていない発明の存在、すなわち、将来、分割出願されたり、補正により追加される発明の存在を否定するものではない。
【００２０】
本発明の一側面の画像形成装置（例えば、図２のプロジェクタ１）は、
画像に対応する光束を被画像形成対象（例えば図２のスクリーン２）に照射することで、前記画像を前記被画像形成対象に形成させる画像形成装置において、
前記光束を前記被画像形成対象に照射するレンズであって、その位置を変化させることでズーム倍率を変化させるズームレンズ（例えば図２のズームレンズ１５−Ｚ）、および、その位置を変化させることでフォーカス倍率を変化させるフォーカスレンズ（例えば図２のフォーカスレンズ１５−Ｆ）を有するレンズ（例えば図２のレンズ１５）と、
前記ズームレンズと前記フォーカスレンズのそれぞれを駆動する駆動系（例えば図２のモータ１６−Ｚ，１６−Ｆ）と、
前記ズームレンズと前記フォーカスレンズの各位置を検出する位置センサ（例えば図２の位置センサ１８−Ｚ，１８−Ｆ）と、
所定のコマンドを受けて前記駆動系を制御することで、前記位置センサにより検出された前記各位置を各目標値に一致させる制御回路（例えば、図２のCPU１１）と、
情報を記録可能なメモリ（例えば、図２の記録メモリ１９）と
を備え、
前記制御回路は、
前記フォーカスレンズと前記ズームレンズとの少なくとも一方の位置を移動させる第１のコマンドを受けた場合、その第１のコマンドに基づいて前記目標値を設定して、その設定された目標値を利用して前記駆動系を制御し、その制御の終了タイミングで前記位置センサにより検出された前記各位置を、第１の調整値として前記メモリに記録させる制御を行い（例えば図３の初期調整処理、特にステップＳ２やＳ６の処理を行い）、
前記メモリの内容を読み出させる第２のコマンドを受けた場合、前記メモリから前記第１の調整値を読出し、その第１の調整値を前記目標値として利用して前記駆動系を制御する（例えば図４の調整処理、特にステップＳ２４の処理やＳ２５におけるズーム/フォーカス処理を行う）。
【００２１】
前記画像形成装置は、
前記光束の発生源としてのランプ（例えば図２のランプ１４）と、
前記ランプに対して電力を供給するランプ電源（例えば図２のランプ電源１３）と
をさらに備え
前記制御回路は、
さらに、前記ランプからの光束を変化させる第３のコマンドを受けた場合、前記ランプ電源の供給電力を制御することで、前記ランプからの光束を変化させ、その制御の終了タイミングにおける供給電力を示す値を、第２の調整値として前記第１の調整値と対応付けて前記メモリに記録させる制御を行い（例えば図３の初期調整処理、特にステップＳ４やＳ６の処理を行い）、
前記第２のコマンドを受けた場合、前記メモリから前記第１の調整値に加えて前記第２の調整値をさらに読出し、前記ランプ電源の供給電力が前記第２の調整値に対応する電力となる制御をさらに行う（例えば図４の調整処理、特にステップＳ２４の処理やＳ２５におけるランプ調整処理を行う）。
【００２２】
前記第１乃至第３のコマンドは別の装置（例えば図２のパーソナルコンピュータ４−１等）から発行され、
前記画像形成装置は、前記別の装置から発行された前記第１乃至第３のコマンドを受信して、前記制御回路に提供する通信回路（例えば図２のNET CPU１２）を
をさらに備える。
【００２３】
前記通信回路と前記別の装置は、所定のネットワーク（例えば図２のネットワーク５）を介して接続されている。
【００２４】
本発明の一側面の画像形成方法は、上述した本発明の一側面の画像形成装置に対応する方法である。
【００２５】
以下、図２乃至図４を参照して、本発明の実施の形態について説明する。
【００２６】
図２は、本発明をデジタルシネマの分野に適用した場合の情報処理システムの構成例を示す図である。
【００２７】
図２の例の情報処理システムは、プロジェクタ１、スクリーン２、リモートコントローラ３、パーソナルコンピュータ４−１，４−２から構成されている。
【００２８】
プロジェクタ１は、映画等の映像コンテンツをスクリーン２に投影する。即ち、プロジェクタ１は、映像コンテンツに対応する光束をスクリーン２に照射することで、その映像コンテンツを構成する映像をスクリーン２上に形成させる。即ち、プロジェクタ１は、スクリーン２を被画像形成対象として採用した場合おける、本発明が適用される画像形成装置の一実施の形態である。
【００２９】
詳細については後述するが、プロジェクタ１には、ズーム倍率とフォーカス倍率とを可変できる機能（以下、ズーム／フォーカス調整機能と称する）と、ランプ出力を可変できる機能（以下、ランプ調整機能と称する）とが搭載されている。即ち、かかる２つの機能を制御すべく、図２の例の情報処理システムには、リモートコントローラ３、およびパーソナルコンピュータ４−１，４−２が設けられている。換言すると、これらの２つの機能の制御ができる装置であれば、その種類や個数は図２の例に特に限定されない。
【００３０】
また、これらの２つの機能の制御手法は、特に限定されないが、例えば本実施の形態では、オペレータ等の人間の操作に応じて次のような各コマンドがそれぞれ発行され、それらの各コマンドにより各機能を制御する、という手法が採用されている。
【００３１】
即ち、本実施の形態では例えば、ズーム／フォーカス調整機能を実現すべく、ズーム倍率を＋方向若しくは−方向に変化させるコマンド、並びに、フォーカス倍率を＋方向若しくは−方向に変化させるコマンドが発行されるとする。なお、以下、ズーム／フォーカス調整機能を実現するための各コマンドを一括して、ズーム／フォーカス調整コマンドと称する。
【００３２】
また例えば、本実施の形態のランプ調整機能としては、Ｎ段階（Ｎは２以上の整数値）のランプ出力値が予め定義されており、そのＮ段階で調整を行う、といった機能が採用されている。このため、かかるランプ調整機能を実現すべく、本実施の形態では例えば、ランプ出力値として１乃至Ｎの中からオペレータ等により選択された値を示す情報が、コマンドとして発行されるとする。なお、以下、かかるコマンドを、ランプ出力値選択コマンドと称する。
【００３３】
従って、本実施の形態では、例えば、オペレータ等によるリモートコントローラ３の押下操作に応じて、ズーム／フォーカス調整コマンドやランプ出力値選択コマンドが、リモートコントローラ３から発行されて、プロジェクタ１に対して、より正確には後述するCPU１１に対して提供される。
【００３４】
また例えば、オペレータ等によるパーソナルコンピュータ４−１の操作に応じて、ズーム／フォーカス調整コマンドやランプ出力値選択コマンドが、パーソナルコンピュータ４−１から発行されて、プロジェクタ１に対して、より正確には後述するNET CPU１２に対してシリアル通信等により提供される。
【００３５】
また例えば、オペレータ等によるパーソナルコンピュータ４−２の操作に応じて、ズーム／フォーカス調整コマンドやランプ出力値選択コマンドが、パーソナルコンピュータ４−２から発行されて、ネットワーク５を介して、プロジェクタ１に対して、より正確には後述するNET CPU１２に対して提供される。
【００３６】
ここで、注目すべき点は次の点である。即ち、映画館等ではプロジェクタ１はスクリーン２から遠方の位置に設置されることが多い。このため、ズーム／フォーカス調整やランプ調整を行うためには、スクリーン２の付近に存在して、スクリーン２に投影された映像を実際に確認する第１のオペレータと、プロジェクタ１の付近に存在して、第１のオペレータの確認内容を聞きながらプロジェクタ２を操作する第２のオペレータが一般的に必要となる。しかしながら、例えばネットワーク５への接続端子等がスクリーン２の付近に存在すれば、その接続端子等にパーソナルコンピュータ４−１を接続することで、一人のオペレータだけで、スクリーン２に投影された映像を実際に確認しながらパーソナルコンピュータ４−１の操作を行うこと、即ち、ズーム／フォーカス調整やランプ調整を行うことができるようになる。
【００３７】
このようなリモートコントローラ３、パーソナルコンピュータ４−１、または４−２からのズーム／フォーカス調整コマンドやランプ出力値選択コマンドを受けて、プロジェクタ１は、ズーム／フォーカス調整機能やランプ調整機能を実現することになる。これらの実現のために、図２の例のプロジェクタ１には、CPU１１乃至記録メモリ１９が設けられている。
【００３８】
CPU（Central Processing Unit）１１は、記録メモリ１９や図示せぬROM（Read Only Memory）等に記録されているプログラムに従って各種の処理を実行する。なお、記録メモリ１９の記録内容やCPU１１の処理内容の具体例については、後述する。
【００３９】
NET CPU１２は、パーソナルコンピュータ４−２とシリアル通信を行ったり、パーソナルコンピュータ４−１とネットワーク５を介して通信を行うために必要な各種処理を実行する。具体的には例えば、パーソナルコンピュータ４−１または４−２からズーム／フォーカス調整コマンドやランプ出力値選択コマンドが発行された場合、それらのコマンドを受信してCPU１１に提供する。
【００４０】
なお、本実施の形態では、CPU１１とNET CPU１２とはそれぞれ独立しているが、１つにまとめてもよい。即ち、NET CPU１２が有している通信機能を、CPU１１に委譲してもよい。
【００４１】
ランプ電源１３は、CPU１１の制御に基づいて、ランプ１４に対して電力を供給する。このランプ１４は、映像コンテンツに対応する光束の光源であり、その光束を調整することで、スクリーン２上の輝度調整が可能になる。この場合、ランプ１４の光束は、例えばランプ１４に対するランプ電源１４の出力（供給電力）によって調整可能である。例えば本実施の形態では、ランプ電源１４の出力、即ち、ランプ出力値はＮ段階で調整可能とされており、CPU１１は、所定のランプ出力値（１乃至Ｎのうちの何れかの値）に対応する電力をランプ１３に供給する処理を実行することで、ランプ１４の光束を調整する。そこで、以下、かかる処理を、ランプ調整処理と称する。
【００４２】
ここで注目すべき点は、１乃至Ｎのうちの何れの値をランプ出力値として決定するのかについては、初期調整時と、その初期調整終了後に行われる調整時とで異なる点である。
【００４３】
即ち、初期調整時は、リモートコントローラ３、パーソナルコンピュータ４−１、または、パーソナルコンピュータ４−２（以下、リモートコントローラ３等と称する）からのランプ出力値選択コマンドで特定される値（１乃至Ｎのうちの何れかの値）がランプ出力値として決定される。このようにして決定されたランプ出力値を用いてランプ調整処理が実行される。このときのランプ調整処理が、後述する図３のステップＳ４に相当する。
【００４４】
詳細については、図３のステップＳ６のSAVE処理として後述するが、初期調整時に利用されたランプ出力値は、初期調整値として記録メモリ１９に記録される。
【００４５】
従って、その後、それを使用させる明示の指示があれば、即ち例えば本実施の形態では後述するLOADコマンドによる指示があれば、CPU１１は、記録メモリ１９から初期調整値を読み出して、その初期調整値をランプ出力値として利用して、ランプ調整処理を実行できる。このときのランプ調整処理が、後述する図４のステップＳ２５に相当する。
【００４６】
ここで、ランプ調整処理の必要性について簡単に説明する。
【００４７】
例えば本実施の形態では、図１の情報処理システムはデジタルシネマの分野に適用されている。かかるデジタルシネマの分野では、DCI（Digital Cinema Initiatives）と称される団体により、DCI Specと称される規格が規定されている。その規定によれば、参照されるべき映像パラメータとして、「白ピーク輝度はスクリーン中心で、48cd/m2（14ft-L）であること」と明記されている。14ft-L = 48cd/m2、とあるので、大体1m2あたりろうそく48本分の明るさがスクリーン中心で必要であるということになる。換言すると、図１のスクリーン２上に投影される映像コンテンツの輝度は、その種類によらず、即ち、画サイズ等を増減したとしても、常に一定に保つ必要がある。
【００４８】
従って、映像コンテンツの各種類のそれぞれについて、スクリーン２の輝度が一定となるように、即ち、他の種類の輝度と同一となるように、ランプ調整処理をそれぞれ個別に実行する必要がある。
【００４９】
このようなランプ調整が行われたランプ１４からの光束は、レンズ１５を介してスクリーン２に照射される。このレンズ１５は、ズーム倍率とフォーカス倍率とのそれぞれを一定の範囲で可変できる機能を有している。即ち、ズーム倍率を可変すべく、一定の幅の間でポジション調整可能なズームレンズ１５−Ｚと、フォーカス倍率を可変すべく、一定の幅の間でポジション調整可能なフォーカスレンズ１５−Ｆとが、レンズ１５にそれぞれ設けられている。
【００５０】
ズームレンズ１５−Ｚのポジション調整は、レンズ１５の鏡筒に設けられた機構１７−Ｚ（以下、ズーム機構１７−Ｚと称する）によってなされる。即ち、モータ１６−Ｚの軸の回転に伴いズーム機構１７−Ｚも回転し、そのズーム機構１７−Ｚの回転角度に応じた分だけズームレンズ１５−Ｚの位置も変化する。このモータ１６−Ｚの回転はCPU１１によって制御される。詳細には、エンコーダ等で構成される位置センサ１８−Ｚにより、ズーム機構１７−Ｚの回転角度が検出されて、CPU１１に提供される。CPU１１は、この位置センサ１８−Ｚからの回転角度（フィードバック値）を目標角度（目標値）と一致させるように、モータ１６−Ｚの回転制御を行う。即ち、CPU１１、モータ１６−Ｚ、ズーム機構１７−Ｚ、および位置センサ１８−Ｚによって構成されるフィードバックループ制御系の制御によって、ズームレンズ１５−Ｚのポジション調整が行われる。
【００５１】
同様に、フォーカスレンズ１５−Ｆのポジション調整は、レンズ１５の鏡筒に設けられた機構１７−Ｆ（以下、フォーカス機構１７−Ｆと称する）によってなされる。即ち、モータ１６−Ｆの軸の回転に伴いフォーカス機構１７−Ｆも回転し、そのフォーカス機構１７−Ｆの回転角度に応じた分だけフォーカスレンズ１５−Ｆの位置も変化する。このモータ１６−Ｆの回転はCPU１１によって制御される。詳細には、エンコーダ等で構成される位置センサ１８−Ｆにより、フォーカス機構１７−Ｆの回転角度が検出されて、CPU１１に提供される。CPU１１は、この位置センサ１８−Ｆからの回転角度（フィードバック値）を目標角度（目標値）と一致させるように、モータ１６−Ｆの回転制御を行う。即ち、CPU１１、モータ１６−Ｆ、ズーム機構１７−Ｆ、および位置センサ１８−Ｆによって構成されるフィードバックループ制御系の制御によって、フォーカスレンズ１５−Ｚのポジション調整が行われる。
【００５２】
なお、以下、CPU１１、モータ１６−Ｚ、ズーム機構１７−Ｚ、および位置センサ１８−Ｚによって構成されるフィードバックループ制御系によるズームレンズ１５−Ｚのポジション調整処理と、CPU１１、モータ１６−Ｆ、フォーカス機構１７−Ｆ、および位置センサ１８−Ｆによって構成されるフィードバックループ制御系によるフォーカスレンズ１５−Ｆのポジション調整処理とをまとめて、ズーム／フォーカス調整処理と称する。また、ズーム／フォーカス調整処理の動作主体は、フィードバックループ制御系全体であるが、以下、説明の簡略上、CPU１１であると略記する。
【００５３】
ここで注目すべき点は、ズーム／フォーカス調整処理におけるズーム機構１７−Ｚまたはフォーカス機構１７−Ｆの目標角度の設定手法は、初期調整時と、その初期調整終了後に行われる調整時とで異なる点である。
【００５４】
即ち、初期調整時には、CPU１１は、リモートコントローラ３等からのズーム／フォーカス調整コマンドに基づいて、ズーム機構１７−Ｚまたはフォーカス機構１７−Ｆの目標角度を設定する。そして、CPU１１は、このようして設定した目標角度に基づいて、ズーム／フォーカス調整処理を実行する。このときのズーム／フォーカス調整処理が、後述する図３のステップＳ２に相当する。
【００５５】
詳細については、図３のステップＳ６のSAVE処理として後述するが、初期調整時において設定されたズーム倍率またはフォーカス倍率に対応する位置センサ１８−Ｚまたは１８−Ｆの出力値、即ち、ズーム機構１７−Ｚまたはフォーカス機構１７−Ｆのその時点の角度が、初期調整値として記録メモリ１９に記録される。
【００５６】
従って、その後、それを使用させる明示の指示、即ち例えば本実施の形態では後述するLOADコマンドによる指示）があれば、CPU１１は、記録メモリ１９から初期調整値を読み出して、その初期調整値をズーム機構１７−Ｚまたはフォーカス機構１７−Ｆの目標角度として設定する。そして、CPU１１は、このようして設定した目標角度に基づいて、ズーム／フォーカス調整処理を実行する。このときのズーム／フォーカス調整処理が、後述する図４のステップＳ２５に相当する。
【００５７】
以上の内容を換言すると、ズーム／フォーカス調整処理は、ズーム／フォーカス調整コマンド、または記録メモリ１９に記録された初期調整値に基づいて行われれば足り、ズームレンズ１５−Ｚやフォーカスレンズ１５−Ｆのポジション調整を行う制御自体は任意でよい。即ち、ズームレンズ１５−Ｚやフォーカスレンズ１５−Ｆのポジション調整を行う制御系は、図２の例に特に限定されず、ズーム／フォーカス調整コマンド、または記録メモリ１９に記録された初期調整値に基づく制御を行うことが可能な制御系であれば足りる。
【００５８】
この場合、ズーム／フォーカス調整処理についての初期調整値として記録メモリ１９に記録される値とは、初期調整時において決定されたズーム倍率またはフォーカス倍率を示す値、即ち、ズームレンズ１５−Ｚまたはフォーカスレンズ１５−Ｆのその時点のポジションを示す値となる。以下、かかる値を、ズーム／フォーカス位置値と称する。即ち、図２の例の位置センサ１８−Ｚまたは１８−Ｆの出力値とは、ズーム／フォーカス位置値の一例である。
【００５９】
記録メモリ１９は、上述したように、初期調整時におけるズーム／フォーカス位置値とランプ出力値とを対応付けて、初期調整値として記録する。
【００６０】
ここで注意すべき点は、初期調整とは、第１回目の調整を指すのではなく、ズーム／フォーカス調整コマンドに基づいて行われるズーム／フォーカス調整処理と、ランプ出力値選択コマンドに基づいて行われるランプ調整処理により実現される全ての調整を指す点である。
【００６１】
そこで、以下、ズーム／フォーカス調整コマンドに基づいて行われるズーム／フォーカス調整処理と、ランプ出力値選択コマンドに基づいて行われるランプ調整処理とをまとめて、初期調整処理と称する。初期調整処理の詳細については、図３を用いて後述するが、記録メモリ１９に初期調整値が記録された後も、ズーム／フォーカス調整コマンドが再発行された場合にはその都度ズーム／フォーカス調整処理が実行され、その実行結果としてのズーム／フォーカス位置値が記録メモリ１９の初期調整値として上書きされる。同様に、ランプ出力値選択コマンドが再発行された場合にはその都度ランプ調整処理が実行され、そのランプ調整処理に利用されたランプ出力値が記録メモリ１９の初期調整値として上書きされる。即ち、ズーム／フォーカス調整コマンドやランプ出力値選択コマンドが再発行される毎に、記録メモリ１９の初期調整値が更新されることになる。ただし、より正確に言えば、本実施の形態に限っては、上書きするか否かのコマンド（後述するSAVEコマンド）が発行された場合にのみ、記録メモリ１９の初期調整値が更新されることになる。
【００６２】
さらに、注目すべき点は、記録メモリ１９は、例えばＭ個（Ｍは１以上の整数値であって、本実施の形態では２０であるとする）の初期調整値をそれぞれ区別して記録することができる点である。これにより、例えばＭ種類の映像コンテンツ毎の初期調整値をそれぞれ個別に記録メモリ１９に記録させることができる。例えば、上述した図１の例で言えば、「Cine-scope」用の初期調整値と、「Vista」用の初期調整値とを、記録メモリ１９にそれぞれ個別に記録させることができる。
【００６３】
従って、オペレータ等は、スクリーン２の投影対象の映像コンテンツの種類を第１の種類から第２の種類に変更する場合には、上述したように、記録メモリ１９に記録されているＭ個の初期調整値のうちの、第２の種類についての初期調整値を用いることをプロジェクタ１に対して指示すればよい。なお、かかる指示は、例えば本実施の形態では、リモートコントローラ３等からの特別のコマンドの発行により、プロジェクタ１にCPU１１に与えられるとする。以下、かかる特別のコマンドを、LOADコマンドと称する。
【００６４】
このようなLOADコマンドが発行された場合には、記録メモリ１９に記録されている初期調整値のうちの、LOADコマンドで特定される種類についての初期調整値が読み出される。そして、その初期調整値を用いたズーム／フォーカス調整処理とランプ調整処理とがそれぞれ実行される。なお、このようなLOADコマンドに基づいて行われるズーム／フォーカス調整処理とランプ調整処理とをまとめて、調整処理と称する。調整処理の詳細については、図４を用いて後述する。
【００６５】
即ち、所定の種類の映像コンテンツに着目すると、オペレータ等により、スクリーン２において画サイズや焦点をあわせるための初期調整が一旦行われると、即ち、その初期調整に対応する所期調整処理がプロジェクタ１により一旦実行されると、その初期調整の際に利用されたパラメータ値が初期調整値として記録メモリ１９に記録される。従って、オペレータ等は、その後、所定の種類の映像コンテンツを投影する場合には、スクリーン２において画サイズや焦点をあわせるための調整を再度行う必要は一切無く、単に、LOADコマンドを発行するための簡便な操作、ここでは例えばリモートコントローラ３の押下操作等を行うだけでよい。
【００６６】
次に、図２のプロジェクタ１の処理のうちの、上述した初期調整処理と調整処理とのそれぞれの一例について、図３と図４とのそれぞれのフローチャートを参照してその順番に説明していく。
【００６７】
図３の初期調整処理は、上述したように、オペレータ等が、例えば所定の種類の映像コンテンツについてスクリーン２において画サイズや焦点をあわせるための初期調整を行う時に、プロジェクタ１によりなされる処理である。即ち、複数の種類の映像コンテンツのそれぞれについて、初期調整処理が独立して実行され、その結果、複数の種類の映像コンテンツの各初期調整値がそれぞれ個別に記録メモリ１９に記録されることになる。
【００６８】
具体的には、ステップＳ１において、図２のプロジェクタ１のCPU１１は、ズーム／フォーカス調整コマンドが発行されたか否かを判定する。
【００６９】
ステップＳ１において、ズーム／フォーカス調整コマンドがまだ発行されていないと判定された場合、処理はステップＳ３に進む。ただし、ステップＳ３以降の処理については後述する。
【００７０】
これに対して、リモートコントローラ３等からズーム／フォーカス調整コマンドが発行された場合には、ステップＳ１においてＹＥＳであると判定されて、処理はステップＳ２に進む。ステップＳ２において、CPU１１は、上述したズーム／フォーカス調整処理を実行する。
【００７１】
なお、ステップＳ２の終了条件は、特に限定されないが、本実施の形態では例えば次の条件が採用されているとする。即ち、ズーム／フォーカス調整コマンドが発行され続けている限り、より具体的には例えばここではオペレータ等がリモートコントローラ３等を操作し続けている限り、ステップＳ２の処理は継続して実行され、ズーム倍率またはフォーカス倍率が変化し続ける。そして、ズーム／フォーカス調整コマンドの発行が終了したタイミングで、即ち、ここではリモートコントローラ３等の操作終了タイミングで、ステップＳ２の処理は終了するとする。即ち、本実施の形態では、ズーム／フォーカス調整コマンドの発行終了という条件が、ステップＳ２の終了条件とされている。
【００７２】
このような終了条件が満たされて、ステップＳ２の処理が終了すると、処理はステップＳ５に進む。
【００７３】
ステップＳ５において、CPU１１は、SAVEコマンドが発行されたか否かを判定する。
【００７４】
ここに、SAVEコマンドとは、その発行時点におけるランプ出力値並びに位置センサ１８−Ｚ，１８−Ｆの出力値を、１乃至Ｍ種類のうちの所定の１種類の初期調整値として記録メモリ１９に記録させるコマンドをいう。
【００７５】
即ち、オペレータ等は、現時点のズーム倍率やフォーカス倍率で良いと判断した場合には、換言すると、現時点のズーム倍率やフォーカス倍率を登録したいと所望した場合には、リモートコントローラ３等を操作することで、SAVEコマンドをリモートコントローラ３等から発行させることができる。
【００７６】
このようなSAVEコマンドが発行されると、ステップＳ５の処理でＹＥＳであると判定されて、処理はステップＳ６に進む。ステップＳ６において、CPU１１は、SAVE処理を実行する。
【００７７】
ここに、SAVE処理とは、SAVEコマンド発行時点におけるランプ出力値並びに位置センサ１８−Ｚ，１８−Ｆの出力値を、１乃至Ｍ種類のうちの所定の１種類の初期調整値として記録メモリ１９に記録させる処理をいう。
【００７８】
ステップＳ７において、CPU１１は、処理の終了が指示されたか否かを判定する。
【００７９】
ステップＳ７の判定条件は、特に限定されない。ただし、本実施の形態では例えばプロジェクタ１の電源状態がオフ状態となったという条件が、処理の終了が指示されたと判定される条件として採用されているとする。
【００８０】
即ち、プロジェクタ１の電源状態がオフ状態となった場合には、ステップＳ７において処理の終了が指示されたと判定されて、初期調整処理は終了となる。
【００８１】
これに対して、プロジェクタ１の電源状態がオン状態である限り、ステップＳ７において処理の終了がまだ指示されていないと判定されて、処理はステップＳ１に戻され、それ以降の処理が繰り返される。
【００８２】
なお、オペレータ等は、現時点のズーム倍率やフォーカス倍率では調整不足であり、さらに調整したいと判断した場合には、換言すると、現時点のズーム倍率やフォーカス倍率では登録したくたないと判断した場合には、リモートコントローラ３等からズーム/フォーカス調整コマンドを再発行させればよい。この場合、ステップＳ５，Ｓ７でＮＯであるとそれぞれ判定されて、続いて、ステップＳ１の処理でＹＥＳであると判定されて、ステップＳ２のズーム/フォーカス調整処理が再度実行されることになる。
【００８３】
もっとも、ステップＳ６のSAVE処理実行後にも、ズーム/フォーカス調整コマンドの再発行は可能である。このことを考慮すると、SAVEコマンドを用いずに、即ち、ステップＳ５の判定処理を省略して、ステップＳ２のズーム/フォーカス調整処理が実行される毎に、ステップＳ６のSAVE処理をその都度実行させるようにしてもよい。
【００８４】
以上、ズーム/フォーカス調整に着目した場合の初期調整処理について説明してきたが、ランプ調整に着目した場合の初期調整処理も基本的に同様の処理となる。具体的には、次のような処理となる。
【００８５】
即ち、上述したように、ステップＳ１においてＮＯであると判定されると、処理はステップＳ３に進む。ステップＳ３において、CPU１１は、ランプ出力値選択コマンドが発行されたか否かを判定する。
【００８６】
ステップＳ３において、ＮＯであると判定された場合、処理はステップＳ５に進み、それ以降の処理が実行される。
【００８７】
これに対して、リモートコントローラ３等からランプ出力値選択コマンドが発行された場合には、ステップＳ３においてＹＥＳであると判定されて、処理はステップＳ４に進む。ステップＳ４において、CPU１１は、上述したランプ調整処理を実行する。その後、処理はステップＳ５に進む。
【００８８】
ステップＳ５において、CPU１１は、SAVEコマンドが発行されたか否かを判定する。
【００８９】
オペレータ等は、スクリーン２上における現時点の輝度で良いと判断した場合には、換言すると、現時点のランプ出力値を登録したいと所望した場合には、SAVEコマンドをリモートコントローラ３から発行させればよい。この場合、ステップＳ５の処理でＹＥＳであると判定されて、ステップＳ６において、上述したSAVE処理が実行される。
【００９０】
これに対して、オペレータ等は、スクリーン２上における現時点の輝度では調整不足であり、さらに調整したいと判断した場合には、換言すると、現時点のランプ出力値では登録したくたないと判断した場合には、リモートコントローラ３等からランプ出力値選択コマンドを再発行させればよい。この場合、ステップＳ５，Ｓ７，Ｓ１でＮＯであるとそれぞれ判定されて、続いて、ステップＳ３の処理でＹＥＳであると判定されて、ステップＳ４のランプ調整処理が再度実行されることになる。
【００９１】
もっとも、ステップＳ６のSAVE処理実行後にも、ズーム/フォーカス調整コマンドと同様に、ランプ出力値選択コマンドの再発行も可能である。このことを考慮すると、SAVEコマンドを用いずに、即ち、ステップＳ５の判定処理を省略して、ステップＳ４のランプ調整処理が実行される毎に、ステップＳ６のSAVE処理をその都度実行させるようにしてもよい。
【００９２】
次に、図４のフローチャートを参照して、調整処理の一例について説明する。
【００９３】
図４の調整処理は、上述したように、例えば、図２のスクリーン２の投影対象の映像コンテンツの種類を切り替える場合、具体的には例えば、図１の「Cine-scope」と「Vista」とのうちの一方から他方の映画に切り替える場合に実行される。
【００９４】
具体的には、ステップＳ２１において、図２のプロジェクタ１のCPU１１は、LOADコマンドが発行されたか否かを判定する。
【００９５】
ステップＳ２１において、LOADコマンドがまだ発行されていないと判定された場合、処理はステップＳ２７に進む。ただし、ステップＳ２７以降の処理については後述する。
【００９６】
ここでは、LOADコマンドとしては、例えば、１乃至Ｍ種類の中からオペレータ等により指定された種類を含み、その指定種類の初期調整値、即ち、その指定種類について登録されたランプ出力値並びに位置センサ１８−Ｚ，１８−Ｆの出力値を記録メモリ１９から読み出させるコマンドが採用されているとする。
【００９７】
従って、かかるLOADコマンドがリモートコントローラ３等から発行された場合には、ステップＳ２１においてＹＥＳであると判定されて、次のようなステップＳ２２以降の処理が実行される。
【００９８】
即ち、ステップＳ２２において、CPU１１は、LOADコマンドで指定された種類についての初期調整値が、記録メモリ１９に記録されているか否かを判定する。
【００９９】
LOADコマンドで指定された種類の初期調整値が記録メモリ１９に記録されていない場合とは、そのLOADコマンドで指定された種類については、上述した図３の初期調整処理のステップＳ５のSAVE処理が一度も実行されていないこと、即ち、オペレータ等が初期調整を完了していないことを意味する。そこで、このような場合には、ステップＳ２２の処理でＮＯであると判定されて、処理はステップＳ２３に進む。ステップＳ２３において、CPU１１は、所定のエラー処理を実行する。その後、処理はステップＳ２７に進む。ただし、ステップＳ２７以降の処理については後述する。
【０１００】
これに対して、LOADコマンドで指定された種類の初期調整値が記録メモリ１９に記録されていた場合、ステップＳ２２の処理でＹＥＳであると判定されて、次のようなステップＳ２４乃至Ｓ２６の処理が実行される。
【０１０１】
即ち、ステップＳ２４において、CPU１１は、LOADコマンドで指定された種類の初期調整値を記録メモリ１９から読み出す。そして、ステップＳ２５において、CPU１１は、その初期調整値を用いて、ズーム/フォーカス調整処理とランプ調整処理とをそれぞれ実行する。
【０１０２】
具体的には例えば、上述したように、ステップＳ２４の処理で読み出された初期調整値とは、LOADコマンドで指定された種類について最新に実行された図３の最新のステップＳ６のSAVE処理により、記録メモリ１９に登録されたランプ出力値並びに位置センサ１８−Ｚ，１８−Ｆの出力値（以下、登録された時点の出力値を、登録値と称する）である。
【０１０３】
従って、かかるランプ登録値がランプ出力値として使用されて、ランプ調整処理が実行される。その結果、スクリーン２上の輝度も初期調整のときのまま保たれることになる。
【０１０４】
また、位置センサ１８−Ｚ，１８−Ｆの各登録値が各目標値として利用されて、ズーム/フォーカス調整処理が実行される。即ち、位置センサ１８−Ｚ，１８−Ｆの各出力値が各登録値と一致するまで、各モータ１７−Ｚ，１７−Ｆの回転制御が行われる。その結果、初期調整のときのズーム倍率とフォーカス倍率とが再現されることになる。
【０１０５】
ステップＳ２６において、CPU１１は、ズーム／フォーカスの各出力値が各登録値に、決められた時間内に到達したか否かを判定する。
【０１０６】
ここに、登録値とは、上述したように、ステップＳ２５の処理で実行されるズーム/フォーカス調整処理で利用される目標値をいう。また、ズーム／フォーカスの各出力値とは、位置センサ１８−Ｚ，１８−Ｆの各出力値をいう。
【０１０７】
即ち、決められた時間が経過しても、ズーム/フォーカス調整処理が継続している場合、換言すると、ズームレンズ１５−Ｚまたはフォーカスレンズ１５−Ｆが動き続けている場合、ステップＳ２６の処理でＮＯであると判定されて、ステップＳ２３の処理で所定のエラー処理が実行されることになる。
【０１０８】
これに対して、決められた時間が経過する前に、ズーム/フォーカス調整処理が終了している場合、換言すると、ズームレンズ１５−Ｚまたはフォーカスレンズ１５−Ｆの動きが停止した場合、ステップＳ２６の処理でＹＥＳであると判定されて、処理はステップＳ２７に進む。その他、上述したように、ステップＳ２１でＮＯであると判定された場合、または、ステップＳ２３の処理が終了した場合にも、処理はステップＳ２７に進む。
【０１０９】
ステップＳ２７において、CPU１１は、処理の終了が指示されたか否かを判定する。
【０１１０】
ステップＳ２７の判定条件は、特に限定されない。ただし、本実施の形態では例えばプロジェクタ１の電源状態がオフ状態となったという条件が、処理の終了が指示されたと判定される条件として採用されているとする。
【０１１１】
即ち、プロジェクタ１の電源状態がオフ状態となった場合には、ステップＳ２７において処理の終了が指示されたと判定されて、調整処理は終了となる。
【０１１２】
これに対して、プロジェクタ１の電源状態がオン状態である限り、ステップＳ２７において処理の終了がまだ指示されていないと判定されて、処理はステップＳ２１に戻され、それ以降の処理が繰り返される。
【０１１３】
なお、上述したステップＳ２２の判定処理は、調整処理にとって特に必須な処理ではなく、省略してもよい。この場合、初回の図３の初期調整処理の前に各種類ともデフォルト値を初期調整値として記録メモリ１９に予め記録させておき、ステップＳ２１の処理でLOADコマンドが発行された場合には、如何なるときでも強制的にステップＳ２４の処理が実行されて初期調整値が記録メモリ１９から読み出される。そして、ステップＳ２５の処理でこの初期調整値を用いてズーム／フォーカス調整処理とランプ調整処理が実行されることになる。なお、このステップＳ２５の処理においてデフォルト値が初期調整値として用いられた場合には、フォーカスレンズ１５−Ｆやズームレンズ１５−Ｚが動作限界を超えてそのまま動き続けることもある。そこで、そのことを、レンズ１５上の図示せぬ動作限界リミットスイッチで検出したときには、フォーカスレンズ１５−Ｆやズームレンズ１５−Ｚの動作を停止させるようにしてもよい。
【０１１４】
以上、図３と図４とをそれぞれ参照して、初期調整処理と調整処理との各例についてそれぞれ説明してきた。
【０１１５】
これらの初期調整処理と調整処理のうちの図２のCPU１１が実行する処理については、他の装置、例えば図２のパーソナルコンピュータ４−１，４−２に搭載された図５のCPU１０１に実行させるようにしてもよい。換言すると、図２のCPU１１の機能を図５のCPU１０１等に委譲してもよい。
【０１１６】
即ち、図５は、パーソナルコンピュータ４−１，４−２の構成例を示している。なお、以下、パーソナルコンピュータ４−１，４−２を特に区別する必要が無い場合、それらをまとめて単に、パーソナルコンピュータ４と称する。
【０１１７】
図５のパーソナルコンピュータ４において、CPU１０１は、ROM１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１１８】
CPU１０１、ROM１０２、およびRAM１０３は、バス１０４を介して相互に接続されている。このバス１０４にはまた、入出力インタフェース１０５も接続されている。
【０１１９】
入出力インタフェース１０５には、キーボード、マウスなどよりなる入力部１０６、ディスプレイなどよりなる出力部１０７、ハードディスクなどより構成される記憶部１０８、および、モデム、ターミナルアダプタなどより構成される通信部１０９が接続されている。
【０１２０】
例えば、図２のパーソナルコンピュータ４−１の通信部１０９は、インターネットを含むネットワーク５を介してプロジェクタ１との間で行う通信を制御する。一方、パーソナルコンピュータ４−２の通信部１０９は、プロジェクタ１との間で行うシリアル通信を制御する。
【０１２１】
入出力インタフェース１０５にはまた、必要に応じてドライブ１１０が接続され、磁気ディスク、光ディスク、光磁気ディスク、或いは半導体メモリなどよりなるリムーバブル記録媒体１１１が適宜装着され、それらから読み出されたコンピュータプログラムが、必要に応じて記憶部１０８にインストールされる。
【０１２２】
さらに言えば、図２のCPU１１や図５のCPU１０１のようなソフトウエアにより制御処理が実行される回路のみならず、ハードウエアで構成された回路、即ち、ハードウエアにより処制御理が実行される回路であっても、上述した一連の処理、例えば図３の初期調整処理や図４の調整処理等は実行可能である。なお、ここでは、ソフトウエアにより制御処理が実行される回路と、ハードウエアにより制御処理が実行される回路とを含めて、制御回路と称することにする。
【０１２３】
換言すると、上述した一連の処理は、ハードウエアにより実行させることもできるし、ソフトウエアにより実行させることもできる。
【０１２４】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１２５】
このようなプログラムを含む記録媒体は、図５に示されるように、装置本体とは別に、視聴者にプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）１１１により構成されるだけでなく、装置本体に予め組み込まれた状態で視聴者に提供される、プログラムが記録されているROM１０２や、記憶部１０８に含まれるハードディスクなどで構成される。
【０１２６】
以上本発明について説明してきたが、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１２７】
また、本明細書において、システムとは、複数の装置や処理部により構成される装置全体を表すものである。
【０１２８】
以上、本発明をデジタルシネマに適用させる場合について説明してきた。
【０１２９】
一般的に、デジタルシネマにおけるシネマプロジェクタを含む情報システムにおいては、従来のフィルム映画と比較し、次の第１乃至第４の条件が揃うことが要求されてきた。即ち、第１の条件とは、多種多様なコンテンツを受けてそれらを何れも投映できること、という条件である。第２の条件とは、人手のかからない日々のオペレーションを可能にすること、という条件である。第３の条件とは、上映の低コスト化という条件である。第４の条件とは、手間のかからない簡素で正確な調整ができること、という条件である。
【０１３０】
従来のシネマプロジェクタでも、第１の条件は満たし、また、従来のフィルム映写機等が有していた「複数のレンズやターレット等を準備して設定するコストと手間」という問題が解決できる点で第４の条件は満たしていた。
【０１３１】
しかしながら、従来のシネマプロジェクタでは、［発明が解決しようとする課題］で上述したように「映像コンテンツ切り替えごとの煩雑な調整が必須」とい問題を有している。かかる問題を有している点で、第２の条件と第３の条件は満たしているとは言い難い。
【０１３２】
これに対して、図２のプロジェクタ１等は、従来のシネマプロジェクタと全く同様に、第１の条件と第４の条件を満たす。さらに、上述したように、オペレータ等は、映像コンテンツの種類毎に初期調整を一旦行えば、即ち、図３等の初期調整処理をプロジェクタ１に実行させれば、各初期調整値が記録メモリ１９に登録されるので、映像コンテンツ切替時には、切替対象の種類についてのLOADコマンドを発行させる、といった簡便な操作を行うだけでよい。即ち、かかるLOADコマンドが発行された後は、オペレータ等は特に操作をすることなく、プロジェクタ１が自動的に図４等の調整処理を実行することになる。このように、図２のプロジェクタ１等は、従来のシネマコンテンツが有していた問題を解決できる。即ち、オペレータ等は、図２のプロジェクタ１等を利用すれば、映像コンテンツ切り替えごとの煩雑な調整が不要になる。かかる点で、図２のプロジェクタ１等は、第２の条件と第３の条件とをさらに満たす。
【０１３３】
このように、図２のプロジェクタ１等は、デジタルシネマにおけるシネマプロジェクタを含む情報システムで要求される第１の条件乃至第４の条件を全て満たすことができるので、デジタルシネマに適用すると好適である。
【０１３４】
もっとも、本発明は、図２の例に限定されず、被画像形成対象に画像を形成させる画像形成装置全般に適用可能である。換言すると、図２の例のデジタルシネマ用のプロジェクタ１とは、被画像形成対象としてスクリーン２を採用した場合の画像形成装置の一実施の形態に過ぎない。
【図面の簡単な説明】
【０１３５】
【図１】「Cine-scope」,「Vista」の違いを説明する図である。
【図２】本発明が適用される情報処理システムの構成例を示す図である。
【図３】図２の情報処理システムのプロジェクタが実行する処理のうちの、初期調整処理例を説明するフローチャートである。
【図４】図２の情報処理システムのプロジェクタが実行する処理のうちの、調整処理例を説明するフローチャートである。
【図５】図２のパーソナルコンピュータの構成例を示すブロック図である。
【符号の説明】
【０１３６】
１  プロジェクタ，  ２  スクリーン，  ３  リモートコントローラ，  ４，４−１，４−２  パーソナルコンピュータ，  ５  ネットワーク，  １１  CPU，  １２  NET CPU，  １３  ランプ電源，  １４  ランプ，  １５  レンズ，  １５−Ｚ  ズームレンズ，  １５−Ｆ  フォーカスレンズ，  １６−Ｚ，１６−Ｆ  モータ，  １７−Ｚ  ズーム機構，  １７−Ｆ  フォーカス機構，  １８−Ｚ，１８−Ｆ  位置センサ，  １９  記録メモリ，  １０１  CPU，  １０２  ROM，  １０３  RAM，  １０５  記録部，  １１１  リムーバブルメディア
【図１】
2007324800.tif 000003
【図２】
2007324800.tif 000004
【図３】
2007324800.tif 000005
【図４】
2007324800.tif 000006
【図５】
2007324800.tif 000007
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
画像に対応する光束を被画像形成対象に照射することで、前記画像を前記被画像形成対象に形成させる画像形成装置において、
前記光束を前記被画像形成対象に照射するレンズであって、その位置を変化させることでズーム倍率を変化させるズームレンズ、および、その位置を変化させることでフォーカス倍率を変化させるフォーカスレンズを有するレンズと、
前記ズームレンズと前記フォーカスレンズのそれぞれを駆動する駆動系と、
前記ズームレンズと前記フォーカスレンズの各位置を検出する位置センサと、
所定のコマンドを受けて前記駆動系を制御することで、前記位置センサにより検出された前記各位置を各目標値に一致させる制御回路と、
情報を記録可能なメモリと
を備え、
前記制御回路は、
前記フォーカスレンズと前記ズームレンズとの少なくとも一方の位置を移動させる第１のコマンドを受けた場合、その第１のコマンドに基づいて前記目標値を設定して、その設定された目標値を利用して前記駆動系を制御し、その制御の終了タイミングで前記位置センサにより検出された前記各位置を、第１の調整値として前記メモリに記録させる制御を行い、
前記メモリの内容を読み出させる第２のコマンドを受けた場合、前記メモリから前記第１の調整値を読出し、その第１の調整値を前記目標値として利用して前記駆動系を制御する
画像形成装置。
【請求項２】
前記画像形成装置は、
前記光束の発生源としてのランプと、
前記ランプに対して電力を供給するランプ電源と
をさらに備え
前記制御回路は、
さらに、前記ランプからの光束を変化させる第３のコマンドを受けた場合、前記ランプ電源の供給電力を制御することで、前記ランプからの光束を変化させ、その制御の終了タイミングにおける供給電力を示す値を、第２の調整値として前記第１の調整値と対応付けて前記メモリに記録させる制御を行い、
前記第２のコマンドを受けた場合、前記メモリから前記第１の調整値に加えて前記第２の調整値をさらに読出し、前記ランプ電源の供給電力が前記第２の調整値に対応する電力となる制御をさらに行う
請求項１に記載の画像形成装置。
【請求項３】
前記第１乃至第３のコマンドは別の装置から発行され、
前記画像形成装置は、前記別の装置から発行された前記第１乃至第３のコマンドを受信して、前記制御回路に提供する通信回路を
をさらに備える請求項２に記載の画像形成装置。
【請求項４】
前記通信回路と前記別の装置は、所定のネットワークを介して接続されている
請求項３に記載の画像形成装置。
【請求項５】
前記画像形成装置は、前記被画像形成対象としてスクリーンを採用したプロジェクタである
請求項１に記載の画像形成装置。
【請求項６】
画像に対応する光束を被画像形成対象に照射することで、前記画像を前記被画像形成対象に形成させる画像形成装置であって、
前記光束を前記被画像形成対象に照射するレンズであって、その位置を変化させることでズーム倍率を変化させるズームレンズ、および、その位置を変化させることでフォーカス倍率を変化させるフォーカスレンズを有するレンズと、
前記ズームレンズと前記フォーカスレンズのそれぞれを駆動する駆動系と、
前記ズームレンズと前記フォーカスレンズの各位置を検出する位置センサと、
所定のコマンドを受けて前記駆動系を制御することで、前記位置センサにより検出された前記各位置を各目標値に一致させる制御回路と、
情報を記録可能なメモリと
を備える前記画像形成装置の画像形成方法において、
前記制御回路が、
前記フォーカスレンズと前記ズームレンズとの少なくとも一方の位置を移動させる第１のコマンドを受けた場合、その第１のコマンドに基づいて前記目標値を設定して、その設定された目標値を利用して前記駆動系を制御し、その制御の終了タイミングで前記位置センサにより検出された前記各位置を、調整値として前記メモリに記録させる制御を行い、
前記メモリの内容を読み出させる第２のコマンドを受けた場合、前記メモリから前記調整値を読出し、その調整値を前記目標値として利用して前記駆動系を制御する
ステップを含む画像形成方法。
【手続補正２】
【補正対象書類名】明細書
【補正対象項目名】０００４
【補正方法】変更
【補正の内容】
【０００４】
しかしながら、スクリーン上に投影され得る映像コンテンツは多種多様である。例えば、映画について言えば、図１に示されるような「Cine-scope」,「Vista」といったアスペクト比が異なる種類に大別される。
【手続補正３】
【補正対象書類名】明細書
【補正対象項目名】００３６
【補正方法】変更
【補正の内容】
【００３６】
ここで、注目すべき点は次の点である。即ち、映画館等ではプロジェクタ１はスクリーン２から遠方の位置に設置されることが多い。このため、ズーム／フォーカス調整やランプ調整を行うためには、スクリーン２の付近に存在して、スクリーン２に投影された映像を実際に確認する第１のオペレータと、プロジェクタ１の付近に存在して、第１のオペレータの確認内容を聞きながらプロジェクタ１を操作する第２のオペレータが一般的に必要となる。しかしながら、例えばネットワーク５への接続端子等がスクリーン２の付近に存在すれば、その接続端子等にパーソナルコンピュータ４−１を接続することで、一人のオペレータだけで、スクリーン２に投影された映像を実際に確認しながらパーソナルコンピュータ４−１の操作を行うこと、即ち、ズーム／フォーカス調整やランプ調整を行うことができるようになる。
【手続補正４】
【補正対象書類名】明細書
【補正対象項目名】００４１
【補正方法】変更
【補正の内容】
【００４１】
ランプ電源１３は、CPU１１の制御に基づいて、ランプ１４に対して電力を供給する。このランプ１４は、映像コンテンツに対応する光束の光源であり、その光束を調整することで、スクリーン２上の輝度調整が可能になる。この場合、ランプ１４の光束は、例えばランプ１４に対するランプ電源１３の出力（供給電力）によって調整可能である。例えば本実施の形態では、ランプ電源１３の出力、即ち、ランプ出力値はＮ段階で調整可能とされており、CPU１１は、所定のランプ出力値（１乃至Ｎのうちの何れかの値）に対応する電力をランプ１４に供給する処理を実行することで、ランプ１４の光束を調整する。そこで、以下、かかる処理を、ランプ調整処理と称する。
【手続補正５】
【補正対象書類名】明細書
【補正対象項目名】００５１
【補正方法】変更
【補正の内容】
【００５１】
同様に、フォーカスレンズ１５−Ｆのポジション調整は、レンズ１５の鏡筒に設けられた機構１７−Ｆ（以下、フォーカス機構１７−Ｆと称する）によってなされる。即ち、モータ１６−Ｆの軸の回転に伴いフォーカス機構１７−Ｆも回転し、そのフォーカス機構１７−Ｆの回転角度に応じた分だけフォーカスレンズ１５−Ｆの位置も変化する。このモータ１６−Ｆの回転はCPU１１によって制御される。詳細には、エンコーダ等で構成される位置センサ１８−Ｆにより、フォーカス機構１７−Ｆの回転角度が検出されて、CPU１１に提供される。CPU１１は、この位置センサ１８−Ｆからの回転角度（フィードバック値）を目標角度（目標値）と一致させるように、モータ１６−Ｆの回転制御を行う。即ち、CPU１１、モータ１６−Ｆ、フォーカス機構１７−Ｆ、および位置センサ１８−Ｆによって構成されるフィードバックループ制御系の制御によって、フォーカスレンズ１５−Ｚのポジション調整が行われる。
で、以下、かかる処理を、ランプ調整処理と称する。
【手続補正６】
【補正対象書類名】明細書
【補正対象項目名】００６５
【補正方法】変更
【補正の内容】
【００６５】
即ち、所定の種類の映像コンテンツに着目すると、オペレータ等により、スクリーン２において画サイズや焦点をあわせるための初期調整が一旦行われると、即ち、その初期調整に対応する初期調整処理がプロジェクタ１により一旦実行されると、その初期調整の際に利用されたパラメータ値が初期調整値として記録メモリ１９に記録される。従って、オペレータ等は、その後、所定の種類の映像コンテンツを投影する場合には、スクリーン２において画サイズや焦点をあわせるための調整を再度行う必要は一切無く、単に、LOADコマンドを発行するための簡便な操作、ここでは例えばリモートコントローラ３の押下操作等を行うだけでよい。
【手続補正７】
【補正対象書類名】明細書
【補正対象項目名】００９９
【補正方法】変更
【補正の内容】
【００９９】
LOADコマンドで指定された種類の初期調整値が記録メモリ１９に記録されていない場合とは、そのLOADコマンドで指定された種類については、上述した図３の初期調整処理のステップＳ６のSAVE処理が一度も実行されていないこと、即ち、オペレータ等が初期調整を完了していないことを意味する。そこで、このような場合には、ステップＳ２２の処理でＮＯであると判定されて、処理はステップＳ２３に進む。ステップＳ２３において、CPU１１は、所定のエラー処理を実行する。その後、処理はステップＳ２７に進む。ただし、ステップＳ２７以降の処理については後述する。